(57)【要約】【課題】本発明は、電気温熱を体の冷えた部分に照射して、体の治療や健康管理に使用できる、電気温灸器である。従来の温灸は、モグサを燃やして出る温度を体に利用していたが、煙が出る、悪臭が出る、時間がかかる等の問題があった。本発明の電気温灸器は数秒で適温に達しることで、短時間で目的の治療ができる事が魅力である。【解決手段】電熱の照射口を大きくして、熱を反射させるため熱の伝導が良く数秒で体の局所が適温に達しること。温灸器の熱照射口と体の接触部分に、本体ゴムカバーを使い本体の温度上昇を切断したことで、連続して使用できる。【特許請求の範囲】
【請求項１】
熱照射口が約２．５センチあるため、ハロゲン電球の熱伝導が早く３〜５秒で適温が照射されること。
【請求項２】
連続して使用すれば、本体の温度も上昇するが、ゴムカバーで本体を保護することで、照射日の温度は一定に保たれ連続照射が可能になった。
【発明の詳細な説明】
【０００１】
【発明の属する技術分野】
ハロゲン電球の温熱を肌に照射する際、照射日が熱くなると連続して肌に接する事ができない、本発明では照射口の本体にゴムカバーを付ける事と、照射口を大きくして電熱が本体内部に残留しないよに設計して解決した。
【０００２】
【従来の技術】
以前の物には、熱の照射口が直径５ミリ程度の物で、温度感覚が不明で火傷になることが多い。また大きな温熱板であっても、ヒーターでは温度上昇に時間がかかる。
【０００３】
【発明が解決しようとする課題】
本発明は、ハロゲン電球の急速な熱発行を利用した電気温灸器であるから、照射口を大きくしたことで温度上昇感覚が容易に分かり、火傷を起こさず適温で中止することができる。高温時に不快感を与えないように、肌に電熱照射が行われるようになったこと。
【０００４】
【課題を解決するための手段】
本発明の温灸器は、入電により温度の急上昇があり、切電により温度急低下があり、皮膚接触面の本体温度安定のために本体にゴムカバーを使用した。
【０００５】
【発明の実施の形態】
本発明の温灸器は、コード先端に温度調節器を使用するので、体質よって調節する。コードに入電してから、本体の照射口を患部に当て、スイッチを押すとハロゲン電球に通電されて、温熱が照射される。
【０００６】
【実施例】
以下、添付図面に従って一実施例を説明する。１のコード先端を温度調節器のプラグに差し込む、１２の熱照射口を患部に当ててから、４のスイッチを押せば、８のハロゲン電球に入電されて温熱が照射される。照射後３〜５秒で患者が熱いと言ったら、４のスイッチを離すと、切電される。同じ局所に繰り返し照射するか、又は局所を変えて照射することができる。
【０００７】
本電気温灸器は、体の治療に使うものであるが、健康管理のため冷えている体のつぼに照射すると、大変効果的です。弱い肌には弱い電圧で照射する、強い肌には強い電圧にて照射する、このような電圧調整器も併用する。
【０００８】
本考案の実施説明は、操作のみの実施手順であるが、治療理論の心得ある者が使用すれば、手軽に利用できる事から便利な電気温灸器である。
【０００９】
本電気温灸器は、何方が利用しても体に害や副作用の心配はありません。体の弱い部分に使用すると大変気持ちよく感じられます。
【００１０】
【発明の効果】
現代では、暖冷房の発達から冷えが原因の病気症状が多く見受けられます。本発明の電気温灸器は体に優しく、誰でも手軽に使える事から利用価値が高く評価されることと思います。既に本品は試験的に実施して大変効果的でした。
【図面の簡単な説明】
【図１】本発明の電気温灸器の一実施例を示す正面図である。
【図２】本電気温灸器の左側面図である。
【符号の説明】
１　　電源コード
２　　電源コード保護ゴム
３　　本体ゴムキャップ
４　　電源スイッチ
５　　本体（プラスチック、アルミニュウム）
６　　電球ソケット固定ネジ
７　　電球ソケット
８　　ハロゲン電球
９　　電熱反射板
１０　電球保護カバー
１１　本体ゴムカバー
１２　電熱照射口
【図１】
2004081760.tif 000002
【図２】
2004081760.tif 000003
【手続補正書】
【提出日】平成14年10月31日(2002.10.31)
【手続補正１】
【補正対象書類名】明細書
【補正対象項目名】全文
【補正方法】変更
【補正の内容】
【発明の詳細な説明】
【特許請求の範囲】
【請求項１】ハロゲン電球熱が反射板にて放出されるため、熱照射口を約２．５センチと大きく開けたので、３〜５秒で適温が皮膚に照射されること。
【請求項２】連続して使用すれば、本体の温度も上昇するが、ゴムカバーで照射口を保護することで、温度は一定に保たれ連続照射が可能になった。
【発明の詳細な説明】
【０００１】
【発明の属する技術分野】
ハロゲン電球の温熱を肌に照射する際、照射口が熱くなると連続して肌に接する事ができない、本発明では照射口にゴムカバーを付ける事と、照射口を大きくして電熱が本体内部に残留しないように熱反射板を設計して解決した。
【０００２】
【従来の技術】
以前の物には、熱の照射口が直径５ミリ程度の物で、温度感覚が不明で火傷になることが多い。また大きな温熱板であっても、ヒーターでは温度上昇に時間がかかる。この点、ハロゲン電球は熱の発行が早く体の深部に熱が浸透しやすい。
【０００３】
【発明が解決しようとする課題】
本発明は、ハロゲン電球の急速な熱発行を利用した電気温灸器であるから、照射口を大きくしたことで温度上昇感覚が容易に分かり、火傷を起こさず適温で中止することができる。高温時に不快感を与えないように、肌に電熱照射が行われるようになったこと。
【０００４】
【課題を解決するための手段】
本発明の温灸器は、入電により温度の急上昇があり、切電により温度急低下があり、皮膚接触面の本体温度安定のために本体にゴムカバーを使用した。
【０００５】
【発明の実施の形態】
本発明の温灸器は、コード先端に温度調節器を使用するので、体質よって調節する。コードに入電してから、本体の照射口を患部に当て、スイッチを押すとハロゲン電球に通電されて、温熱が照射される。
【０００６】
【実施例】
以下、添付図面に従って一実施例を説明する。１のコード先端を温度調節器のプラグに差し込む、１２の熱照射口を患部に当ててから、４のスイッチを押せば、８のハロゲン電球に入電されて温熱が照射される。照射後３〜５秒で患者が熱いと言ったら、４のスイッチを離すと、切電される。同じ局所に繰り返し照射するか、又は局所を変えて照射することができる。
【０００７】
本電気温灸器は、体の治療に使うものであるが、健康管理のため冷えている体の局所に照射すると、大変効果的です。弱い肌には弱い電圧で照射する、強い肌には強い電圧にて照射する、このような電圧調整器も併用する。
【０００８】
本考案の実施説明は、操作のみの実施手順であるが、治療理論の心得ある者が使用すれば、手軽に利用できる事から便利な電気温灸器である。
【０００９】
本電気温灸器は、何方が利用しても体に害や副作用の心配はありません。入電スイッチを押し続けなければ過熱することはないが、安全のため本体が１００度以上に上昇すれば、温度ヒューズが溶けて切電される。
【００１０】
【発明の効果】
現代では、暖冷房の発達から冷えが原因の病気症状が多く見受けられます。本発明の電気温灸器は体に優しく、誰でも手軽に使える事から利用価値が高く評価されることと思います。既に本品は試験的に実施して大変効果的でした。
【図面の簡単な説明】
【図１】本発明の電気温灸器の一実施例を示す正面図である。
【図２】本電気温灸器の断面図である。
【図３】本電気温灸器の左側面図である。
【符号の説明】
１　　電源コード
２　　電源コード保護ゴム
３　　本体のコード取入キャップ
４　　電源スイッチ
５　　本体（熱強化プラスチック）
６　　電球ソケット固定ネジ
７　　電球ソケット
８　　ハロゲン電球
９　　電熱反射板
１０　電球保護カバー
１１　照射口ゴムカバー
１２　電熱照射口
１３　温度ヒューズ
【図面】
【図１】
2004081760.tif 000004
【図２】
2004081760.tif 000005
【図３】
2004081760.tif 000006